(57)【要約】【課題】電源装置の操作板に配設された操作スイッチに対する不正行為をより確実に防止する。【解決手段】前面側に開口を有する箱形の筐体と、筐体の前面側に開閉自在に取り付けられた前面扉と、電源装置とを備えた遊技機において、電源装置１００には、所定作動を行わせる操作スイッチを有して電源装置１００の前面側に設けられた操作板１４０と、操作板１４０に操作板１４０の表面を覆う閉鎖位置から開閉自在に取り付けられたカバー１６０と、操作板１４０とカバー１６０とに跨って設けられ、カバー１６０を閉鎖位置へ付勢するカバー付勢手段１４９とが備えられ、カバー１６０の周囲に繋がってリブ１６５が設けられるとともに、操作板１４０の周囲に繋がって操作板１４０の表面中央側が突出するように形成された段差部１５４が設けられ、リブ１６５が段差部１５４に当接することでカバー１６０が操作板１４０の表面を覆うように構成される。【選択図】　図４
2004065493.tif 000002
【特許請求の範囲】
【請求項１】
前面側に開口を有する箱形の筐体と、前記筐体の前記前面側に前記開口を覆う閉止位置から開閉自在に取り付けられた前面扉と、前記筐体の内部に設けられて電力を供給する電源装置とを備え、前記前面扉が前記開口を覆う状態で前記電源装置から供給される電力により作動する遊技機において、
前記電源装置には、前記遊技機に所定作動を行わせるための操作スイッチを有して前記電源装置の前記前面側に設けられた操作板と、
前記操作板に前記操作板の表面を覆う閉鎖位置から開閉自在に取り付けられたカバーと、
前記操作板と前記カバーとに跨って設けられ、前記カバーを前記閉鎖位置へ付勢するカバー付勢手段とが備えられ、
前記カバーの周囲に繋がってリブが設けられるとともに、前記操作板の周囲に繋がって前記操作板の表面中央側が突出するように形成された段差部が設けられ、前記リブが前記段差部に当接することで前記カバーが前記操作板の前記表面を覆うように構成されていることを特徴とする遊技機の電源装置。
【発明の詳細な説明】
【０００１】
【発明の属する技術分野】
本発明は、前面側に開口を有する箱形の筐体と、筐体の前面側に開閉自在に取り付けられた前面扉とを備えて構成される遊技機の電源装置に関し、さらに詳しくは、電源装置の不正防止構造に関する。
【０００２】
【従来の技術】
前面側に開口を有する箱形の筐体と、この筐体の前面側に開閉自在に取り付けられた前面扉とを備えて構成される遊技機の代表例として、スロットマシンがあり、筐体の内部に遊技構成装置が配設されて、前面扉が開口を覆う状態で遊技に供されるようになっている。
【０００３】
このようなスロットマシンにおいて、筐体の内部には、スロットマシンの各部に電力を供給するための電源装置が設けられており、この電源装置から供給される電力によりスロットマシンが作動するようになっている。電源装置の前面側には、スロットマシンを作動させるための電源スイッチや、遊技メダルの回収を行うためのメダル回収スイッチ、そしてスロットマシンの出玉率を設定するための設定スイッチ等の各操作スイッチを有する操作板が設けられており、前面扉を開いた状態で各操作スイッチを操作できるようになっている。
【０００４】
そして、例えば、前面扉を開いた状態でメダル回収スイッチを操作し、メダル払出装置から遊技メダルを強制的に払い出すことで遊技メダルの回収が行われ、また同様に、前面扉を開いた状態で設定スイッチを操作し、スロットマシンの出玉率を設定することでスロットマシンの出玉管理が行われ、電源装置の操作板に配設された各操作スイッチによる遊技メダルの回収等、スロットマシンのメンテナンス作業や出玉管理作業を行うことができる。
【０００５】
【発明が解決しようとする課題】
しかしながら、遊技中にメダル回収スイッチや設定スイッチ等が道具（セルや針金等）を用いて不正に操作され、遊技メダルが不正に獲得されてしまうという問題がある。そこで、カバーを用いて各操作スイッチが配設された操作板の表面を覆うことで不正行為を防止していたが、従来ではカバーを操作板に固定して用いていたため、カバーを取り外してから各操作スイッチを操作しなければならず、スロットマシンのメンテナンスや出玉管理作業が煩雑なものとなっていた。また、スロットマシンのメンテナンスや出玉管理作業の後に、作業者がカバーを操作板に再固定するのを忘れたり、操作板に対するカバーの固定が不充分であることがあるため、充分に不正行為を防止することができなくなる場合があった。
【０００６】
本発明はこのような問題に鑑みてなされたものであり、電源装置の操作板に配設された操作スイッチに対する不正行為をより確実に防止することを目的とする。
【０００７】
【課題を解決するための手段】
このような目的達成のため、本発明に係る遊技機の電源装置は、前面側に開口を有する箱形の筐体と、筐体の前面側に開口を覆う閉止位置から開閉自在に取り付けられた前面扉と、筐体の内部に設けられて電力を供給する電源装置とを備え、前面扉が前記開口を覆う状態で電源装置から供給される電力により作動する遊技機において、電源装置には、遊技機に所定作動を行わせるための操作スイッチを有して電源装置の前面側に設けられた操作板と、操作板に操作板の表面を覆う閉鎖位置から開閉自在に取り付けられたカバー（例えば、実施形態におけるカバーパネル１６０）と、操作板とカバーとに跨って設けられ、カバーを閉鎖位置へ付勢するカバー付勢手段（例えば、実施形態におけるねじりコイルばね１４９）とが備えられて構成される。そして、カバーの周囲に繋がってリブ（例えば、実施形態における周囲リブ１６５）が設けられるとともに、操作板の周囲に繋がって操作板の表面中央側が突出するように形成された段差部が設けられ、リブが段差部に当接することでカバーが操作板の表面を覆うように構成されている。
【０００８】
このような構成の遊技機の電源装置によれば、カバー付勢手段によりカバーが常には操作板の表面を覆う閉鎖位置に位置するため、作業者がカバーを操作板に再固定するのを忘れることがなく、さらに、操作板に設けられた段差部により道具等の異物がカバーに覆われた操作板の表面に入り込みにくくなるため、電源装置の操作板に配設された操作スイッチに対する不正行為をより確実に防止することができる。
【０００９】
【発明の実施の形態】
以下、本発明の好ましい実施形態について図面を参照しながら説明する。本発明に係る電源装置を備えた遊技機の代表例としてスロットマシンＳＭを図１および図２に示しており、まず、これらの図面を参照しながらスロットマシンＳＭの全体構成について要約説明する。ここで、図１はスロットマシンＳＭの斜視図、図２は上記スロットマシンＳＭにおける前面扉を取り外した状態を示す正面図である。
【００１０】
スロットマシンＳＭは、前面側に開口を有する箱状の筐体２と、この開口を開閉自在に覆って取り付けられる前面扉３とから構成される略直方体状のキャビネットケース１内に遊技構成装置を配設して構成される。前面扉３は、筐体２および前面扉３の左側縁に跨って配設された上下のヒンジ機構（図示せず）により横開き開閉可能に取り付けられ、常には右側縁に設けられた施錠装置４を利用して筐体２に閉鎖施錠された状態で保持される。
【００１１】
筐体２の内部には、円筒外周面に沿って多種の図柄が描かれた三つのリール２１ａ，２１ｂ，２１ｃが遊技構成装置として回転可能に配設されており、さらに筐体２の内部には、三つのリール２１ａ，２１ｂ，２１ｃを回転・停止駆動させるリール装置２１、遊技メダルの払出を行うメダル払出装置（ホッパとも称される）２２、スロットマシンＳＭの作動を統括的に制御する主制御基板５０、リール装置２１やメダル払出装置２２、主制御基板５０等の構成機器に電力を供給する電源装置１００などが取り付けられている。
【００１２】
一方、前面扉３には、メダル投入口３１、スタートレバー３２や停止ボタン３３ａ，３３ｂ，３３ｃ等や、左右の上部スピーカ３４，３４および下部スピーカ３５等が取り付けられ、図示しないワイヤーハーネス（電気配線）で筐体２側の主制御基板５０や電源装置１００などと接続されている。また前面扉３の中間部には、三つのリール２１ａ，２１ｂ，２１ｃと位置整合して透視窓３７が配設されており、三つのリールの所定範囲を機体正面に臨ませている。さらに前面扉３の中央下部には、前面扉３に設けられたメダル通路（図示せず）と位置整合してメダル払出口３８が設けられるとともに、その下部に受け皿３９が配設されており、図示しないメダルセレクタから返却される返却メダルや、メダル払出装置２２から払い出された遊技メダルがメダル払出口３８を通過して受け皿３９で受け止められ貯留されるように構成されている。
【００１３】
このように構成されたスロットマシンＳＭでは、遊技者がメダル投入口３１より遊技メダルを投入し、スタートレバー３２を操作すると、三つのリール２１ａ，２１ｂ，２１ｃが回転起動する。遊技者は回転している三つのリール２１ａ，２１ｂ，２１ｃを任意に選択し、所望の順序及びタイミングで停止ボタン３３ａ，３３ｂ，３３ｃを操作して、三つのリール２１ａ，２１ｂ，２１ｃを停止させる。
【００１４】
回転していた三つのリール２１ａ，２１ｂ，２１ｃが全て停止すると、入賞図柄の判定、すなわち当たりかはずれかの判定が行われ、図柄の組み合わせが予め定められた入賞図柄の組み合わせに該当するときには、メダル払出装置２２より所定枚数の遊技メダルが払い出される。なお、このとき上部スピーカ３４，３４および下部スピーカ３５より効果音が発生する。
【００１５】
このように本スロットマシンＳＭで遊技を行う遊技者は、表示された図柄が予め定められた組み合わせに該当しなかったとき（はずれのとき）には投入した遊技メダルを失うが、表示された図柄が予め定められた組み合わせに該当したとき（当たりのとき）には投入した枚数以上の遊技メダルを獲得し得ることとなり、遊技メダルを増やすという興趣を楽しむことができる。
【００１６】
次に、図３〜図８を参照しながら、本発明に係る電源装置１００について説明する。ここで、図３は電源装置１００の正面図（部分断面図）、図４は電源装置１００に構成される操作板１４０およびカバーパネル１６０の分解斜視図、図５は操作板１４０およびカバーパネル１６０の取付部付近を示す平面拡大図（部分断面図）、図６は操作板１４０およびカバーパネル１６０の左下端部付近を示す正面拡大図（部分断面図）、図７は図６中の矢印ＶＩＩから見た平面拡大図（部分断面図）、図８（Ａ）は電源装置１００に構成されるロック部材１７０の平面拡大図（部分断面図）、そして図８（Ｂ）はロック部材１７０がロック状態であるときの平面拡大図（部分断面図）である。
【００１７】
電源装置１００は、主制御基板５０等の構成機器に電力を供給する電源基板１１０と、電源基板１１０を収容保持するカバー体１２０と、種々の操作スイッチを有してカバー体１２０の前面側に取り付けられた操作板１４０と、操作板１４０に操作板１４０の表面を覆う閉鎖位置から横開き開閉可能に取り付けられたカバーパネル１６０とを主体に構成される。
【００１８】
電源基板１１０は、図５に示すように、基板１１１と、基板１１１上の所定位置に配設された電力生成部品等の各電子部品（図示せず）とを有して構成され、主制御基板５０等の構成機器に電力を供給するようになっている。電源基板１１０の四隅には、電源基板１１０をカバー体１２０の内部に取り付けるための基板取付穴１１２が形成されている。
【００１９】
カバー体１２０は、図３および図４に示すように、金属板材を用いて方形箱状に形成され、内部に電源基板１１０を収容保持するように構成される。カバー体１２０の前面側における四隅には、操作板１４０をカバー体１２０に取り付けるための操作板取付部１２１がネジ穴１２１ａを有して形成されている。また、カバー体１２０の底部前面側には、板状の取付台座部１２４が形成されており、カバー体固定ネジ１２５，１２５および座金１２６，１２６を用いて取付台座部１２４を筐体２にネジ固定することにより、カバー体１２０が筐体２に取付固定されるようになっている。
【００２０】
カバー体１２０の上部には、図４および図５に示すように、電源基板１１０が所定の電力を生成する際に発生する熱をカバー体１２０の外部に放熱するための上部開口部１２７が形成されている。上部開口部１２７は、カバー体１２０の上部から上方に延びるとともに、その上端部において後方に向けて開口するように形成され、カバー体１２０の内部で発生した熱が外部に放熱されるようになっている。これにより、上部開口部１２７がスロットマシンＳＭの後方、すなわち遊技者側（前面側）とは反対側に向けて開口しているため、道具等の異物を上部開口部１２７からカバー体１２０の内部に侵入させ難くなることから、電源装置１００に対する不正行為を防止することができる。
【００２１】
また、カバー体１２０の上部には、コネクタ開口部１２８が形成されており、電源基板１１０に配設されたコネクタ端子１１３が外部に露出するように構成されている。そして、図３に示すように、例えば、電源基板１１０と主制御基板５０とを電気的に接続する電力供給用電気配線１１４の一端に設けられた電力供給用コネクタ部１１４ａがコネクタ端子１１３に外部から取り付けられるようになっている。
【００２２】
カバー体１２０の右側内部には、図５に示すように、電源基板１１０をカバー体１２０に取り付けるための電源基板取付部１３０が設けられている。電源基板取付部１３０は、電源基板１１０を取付固定するためのボブスペーサ１３１を有して構成され、カバー体１２０の右側四箇所には、ボブスペーサ１３１をカバー体１２０に圧入取付するための下穴１３２が形成される。
【００２３】
ボブスペーサ１３１は金属材料を用いて図示する形状に形成され、ボブスペーサ１３１の一端側にはネジ穴１３１ａが形成されている。一方、ボブスペーサ１３１の他端側には下穴１３２に圧入可能な圧入部１３１ｂが形成されており、この圧入部１３１ｂを下穴１３２に圧入することで、ボブスペーサ１３１がカバー体１２０の右側内部に圧入取付される。
【００２４】
そして、ボブスペーサ１３１がカバー体１２０の右側内部四箇所にそれぞれ圧入取付された状態で、電源基板１１０の基板取付穴１１２の位置をボブスペーサ１３１のネジ穴１３１ａに合わせ、座金１３４を介して電源基板取付ネジ１３３を基板取付穴１１２に通過させてネジ穴１３１ａにネジ固定することにより、電源基板１１０が電源基板取付部１３０に取り付けられ、この状態で電源基板１１０がカバー体１２０の内部に収容保持される。これにより、カバー体１２０の右側部に開口が形成されずに電源基板１１０をカバー体１２０の内部に収容保持することができ、電源基板１１０の取付部を設けるために、カバー体１２０に開口が形成されることを回避することができることから、電源装置１００に対する不正行為を防止することができる。なお、上述のボブスペーサ１３１に限らず、例えば、カバー体１２０の内部に電源基板取付用板金を溶接接合する等、カバー体１２０に開口が形成されずに電源基板取付部が設けられていればよい。
【００２５】
操作板１４０は、板状の形態をなし、ＡＢＳ樹脂等の樹脂材料を用いて射出成形等の成形手段により図示する形状に一体的に形成される。操作板１４０には、図４に示すように、スロットマシンＳＭを作動させるための電源スイッチ１４１や、遊技メダルの回収を行うためのメダル回収スイッチ１４２、スロットマシンＳＭの出玉率を設定するための設定スイッチ１４３、エラーの解除等を行うリセットボタン１４４、自動精算処理の有無を設定する自動精算スイッチ１４５、そして打ち止め処理の有無を設定する打止スイッチ１４６等の各操作スイッチが配設されている。
【００２６】
操作板１４０の周部四箇所には、操作板１４０をカバー体１２０の前面側に取り付けるための取付固定部１５１，１５１，…が固定穴１５１ａを有して形成されており、図５に示すように、固定穴１５１ａの位置をカバー体１２０の前面側に形成された操作板取付部１２１のネジ穴１２１ａに合わせ、座金１５３を介して操作板取付ネジ１５２を固定穴１５１ａに通過させてネジ穴１２１ａにネジ固定することにより、操作板１４０がカバー体１２０の前面側に取り付けられる。また、操作板１４０の周囲に繋がって段差部１５４が形成されており、操作板１４０の表面中央側が突出するように構成されている。
【００２７】
操作板１４０の左端部上下には、カバーパネル１６０を操作板１４０に横開き開閉自在に取り付けるためのカバー開閉支持部１５６，１５６が棒状に形成されている。操作板１４０の左下端部には、棒状のねじりコイルばね取付部１５７が形成されており、カバーパネル１６０を操作板１４０の表面を覆う閉鎖位置に付勢するねじりコイルばね１４９が取り付けられるように構成されている。また、図６および図７に示すように、操作板１４０の左下端部裏面側には、溝状の第１ねじりコイルばね受け部１５８が形成されており、ねじりコイルばね１４９の一端側を受容するように構成されている。
【００２８】
さて、操作板１４０の射出成形による加工の都合上、操作板１４０におけるカバー開閉支持部１５６およびねじりコイルばね取付部１５７の形成位置には、図５〜図７に示すように、開閉支持部開口１５６ａおよびばね取付部開口１５７ａが形成される。そこで、カバー体１２０の前面側における左上端部には、上側の開閉支持部開口１５６ａを覆う上部開口覆い部１２２ａが形成されるとともに、カバー体１２０の前面側における左下端部には、下側の開閉支持部開口１５６ａおよびばね取付部開口１５７ａを覆う下部開口覆い部１２２ｂが形成されている。
【００２９】
上部開口覆い部１２２ａは、図５に示すように、カバー体１２０の前面側における左上端部からカバー体１２０の左上側に位置する操作板取付部１２１に繋がるように形成され、上側の開閉支持部開口１５６ａを覆って塞ぐように構成される。下部開口覆い部１２２ｂは、図７に示すように、カバー体１２０の前面側における左下端部からカバー体１２０の左下側に位置する操作板取付部１２１に繋がるように形成され、下側の開閉支持部開口１５６ａおよびばね取付部開口１５７ａを覆って塞ぐように構成される。これにより、上下の開閉支持部開口１５６ａ，１５６およびばね取付部開口１５７ａから道具等の異物をカバー体１２０の内部に侵入させることが防止されるため、電源装置１００に対する不正行為を防止することができる。
【００３０】
カバーパネル１６０は、ポリカーボネートやメタクリル樹脂、そしてＡＢＳ樹脂等の透明な樹脂材料を用いて、図示する形状に一体的に形成される。カバーパネル１６０の中央部には、操作板１４０の表面中央側と位置整合して面部１６１が形成され、カバーパネル１６０が操作板１４０の表面を覆う状態で、作業者が面部１６１を通して操作板１４０に配設された各操作スイッチ等の状態を外観確認することができるようになっている。
【００３１】
カバーパネル１６０の左端部上下には、操作板１４０の上下のカバー開閉支持部１５６，１５６にそれぞれ係合するカバー取付部１６２，１６２が形成されている。そして図６に示すように、カバー取付部１６２がカバー開閉支持部１５６に係合することで、カバーパネル１６０が操作板１４０に対し操作板１４０の表面を覆う閉鎖位置から横開き開閉自在に取り付けられる。
【００３２】
カバーパネル１６０の左下端部には、溝状の第２ねじりコイルばね受け部１６３が形成されており、ねじりコイルばね１４９の他端側を受容するように構成されている。そして、図６および図７に示すように、ねじりコイルばね１４９を操作板１４０のねじりコイルばね取付部１５７に取り付け、ねじりコイルばね１４９の一端側を操作板１４０の第１ねじりコイルばね受け部１５８に受容させるとともに、ねじりコイルばね１４９の他端側を第２ねじりコイルばね受け部１６３に受容させることで、操作板１４０とカバーパネル１６０とに跨って設けられたねじりコイルばね１４９によりカバーパネル１６０が操作板１４０の表面を覆う閉鎖位置に付勢される。これにより、作業者がカバーパネル１６０を閉鎖位置に位置させることを忘れても、ねじりコイルばね１４９の付勢力によりカバーパネル１６０が閉鎖位置に位置するため、操作板１４０に配設された各操作スイッチに対する不正行為を防止することができる。
【００３３】
カバーパネル１６０の周囲には、図４および図５に示すように、操作板１４０の段差部１５４に当接する周囲リブ１６５が形成されている。周囲リブ１６５は、段差部１５４に位置整合して、カバーパネル１６０の周囲に繋がってスロットマシンＳＭの後方へ突出するように形成され、カバーパネル１６０を閉鎖位置に位置させると段差部１５４に当接し、この状態でカバーパネル１６０が操作板１４０の表面を覆うように構成される。そのため、段差部１５４により道具等の異物がカバーパネル１６０に覆われた操作板１４０の表面に入り込みにくくなり、さらにカバーパネル１６０が少々開けられても道具等の異物が操作板１４０の表面に入り込みにくくなるため、操作板１４０に配設された各操作スイッチに対する不正行為を防止することができる。
【００３４】
カバーパネル１６０の中央付近には、図３および図５に示すように、操作板１４０の表面におけるメダル回収スイッチ１４２の周辺部に当接するスイッチ周りリブ１６６が形成されている。スイッチ周りリブ１６６は、メダル回収スイッチ１４２の周辺部に位置整合して、スロットマシンＳＭの後方へ突出するように形成され、カバーパネル１６０を閉鎖位置に位置させるとメダル回収スイッチ１４２の周辺部に当接し、この状態でメダル回収スイッチ１４２の表面側がスイッチ周りリブ１６６に囲まれるように構成される。そのため、スイッチ周りリブ１６６により道具等の異物がメダル回収スイッチ１４２の表面側に入り込みにくくなるため、メダル回収スイッチ１４２に対する不正行為を防止することができる。
【００３５】
カバーパネル１６０の右端中央部には、カバーパネル１６０を閉鎖位置でロック保持するロック部材１７０がロック部材取付部１６７に取り付けられている。ロック部材１７０は、図８（Ａ）および（Ｂ）に示すように、一端にノブ部１７２を有するノブ部材１７１と、複数のロック片１７６，１７６，…を有するロック片部材１７５とから構成される。
【００３６】
ノブ部材１７１は、ＡＢＳ樹脂等の樹脂材料を用いて射出成形等の成形手段により図示する形状に一体的に形成され、ロック片部材１７５に対して、図８（Ｂ）に示すようにカバーパネル１６０が閉鎖位置でロック保持されるロック位置と、図８（Ａ）に示すようにロック状態が解除されたロック解除位置とに押し引き可能に取り付けられる。ノブ部材１７１の一端側にはノブ部１７２が形成されており、作業者がノブ部材１７１を押し込み又は把持しやすいようになっている。ノブ部材１７１の他端側にはロック片当接部１７３が形成されており、ノブ部材１７１をロック位置に押し込むと、図８（Ｂ）に示すように、ロック片当接部１７３がロック片部材１７５の複数のロック片１７６，１７６，…に当接し、複数のロック片１７６，１７６，…を押し広げて弾性変形させるように構成されている。
【００３７】
ロック片部材１７５は、ＡＢＳ樹脂等の樹脂材料を用いて射出成形等の成形手段により図示する形状に一体的に形成され、カバーパネル１６０のロック部材取付部１６７に取付固定されるように構成される。ロック片部材１７５の一端側には、複数のロック片１７６，１７６，…が形成されており、ノブ部材１７１をロック位置に押し込むと、図８（Ｂ）に示すように、ロック片当接部１７３に押し広げられて弾性変形し、操作板１４０に形成されたロック部材受け部１５５の内縁部に係止してカバーパネル１６０が閉鎖位置でロック保持されるように構成されている。
【００３８】
そして、図８（Ａ）に示すようにノブ部材１７１がロック解除位置に位置するときには、作業者がノブ部１７２を把持してカバーパネル１６０を自由に横開き開閉することができる。一方、カバーパネル１６０が閉鎖位置に位置する状態で、図８（Ｂ）に示すように作業者がノブ部材１７１をロック位置に押し込むと、ロック片当接部１７３が複数のロック片１７６，１７６，…に当接し、複数のロック片１７６，１７６，…がロック片当接部１７３に押し広げられて弾性変形するとともにロック部材受け部１５５の内縁部に係止して、カバーパネル１６０が閉鎖位置でロック保持される。なお、ロック状態を解除するときにはノブ部材１７１をロック解除位置へ引き戻せばよい。
【００３９】
このようにしてロック部材１７０を用いれば、カバーパネル１６０が閉鎖位置でロック保持されて、道具等の異物がカバーパネル１６０に覆われた操作板１４０の表面に入り込みにくくなり、さらにカバーパネル１６０が不正に開放されることが防止されるため、操作板１４０に配設された各操作スイッチに対する不正行為を防止することができる。なお、ロック部材１７０が前述のようにノブ部材１７１とロック片部材１７５とから構成されているが、これに限られるものではなく、カバーパネル１６０を閉鎖位置でロック保持するように構成されていればよい。
【００４０】
また、ロック部材１７０がカバーパネル１６０の右端中央部に設けられているが、これに限られるものではなく、図９に示すように、カバーパネル１６０の右上下端部に設けてもよい。このようにすれば、複数のロック部材１７０を用いてカバーパネル１６０を閉鎖位置でロック保持することで、カバーパネル１６０の浮き上がりが防止され、道具等の異物がカバーパネル１６０に覆われた操作板１４０の表面に一層入り込みにくくなるため、操作板１４０に配設された各操作スイッチに対する不正行為を防止することができる。
【００４１】
続いて、電源装置１００と主制御基板５０およびメダル払出装置２２との電気的な接続について図１０および図１１を参照して説明する。ここで、図１０は電源装置１００と主制御基板５０およびメダル払出装置２２との電気的な接続を示す回路ブロック図、そして図１１は設定スイッチ内部の電気的な接続を示す回路ブロック図である。
【００４２】
電源装置１００は、前述のように、電源基板１１０や、操作板１４０に配設された電源スイッチ１４１、メダル回収スイッチ１４２、設定スイッチ１４３、リセットボタン１４４、そしてヒューズ１４７等を備えて構成されており、ワイヤーハーネス（電気配線）により主制御基板５０およびメダル払出装置２２と図１０に示すような回路形態を有して電気的に接続される。
【００４３】
設定スイッチ１４３は、主制御基板５０に設けられた設定切替モード判定手段５１と電気的に接続されており、設定スイッチ１４３が操作されて設定切替モード判定手段５１が設定スイッチ１４３の操作がなされたと判定すると、主制御基板５０はスロットマシンＳＭの出玉率の設定切替を許可し、所定の設定切替処理を行う。具体的には、図１１に示すように、設定スイッチ１４３が、主制御基板５０側から所定の電力が入力される設定スイッチ入力＋（プラス）１４３ａおよび設定スイッチ入力−（マイナス）１４３ｂと、スイッチ回路１４３ｃとを備え、図示するような回路形態を有してそれぞれ電気的に接続される。そして、設定切替モード判定手段５１が設定スイッチ入力＋（プラス）１４３ａおよび設定スイッチ入力−（マイナス）１４３ｂを介して設定スイッチ１４３と電気的に接続される。
【００４４】
スイッチ回路１４３ｃは、常にはクローズ（閉）状態であり、常には回路内に電流が流れている。このとき、設定切替モード判定手段５１は、この回路内に流れる電流を検知することで設定スイッチ１４３のスイッチ操作がなされていないと判定する。一方、設定スイッチ１４３が操作されると、スイッチ回路１４３ｃはオープン（開）状態となって、回路内には電流が流れなくなる。そして、設定切替モード判定手段５１は、回路内に流れる電流が検知されなくなると設定スイッチ１４３のスイッチ操作がなされたと判定する。すなわち、設定スイッチ１４３に構成される回路はノーマルクローズ回路であり、これにより、回路をショートさせて通電させることにより設定スイッチ１４３が不正に操作されることを防止することができる。
【００４５】
リセットボタン１４４は、主制御基板５０に設けられたリセット入力判定手段５２と電気的に接続されており、リセットボタン１４４が操作されるとリセット入力判定手段５２にリセット操作信号を出力する。リセット入力判定手段５２にリセット操作信号が入力されると、主制御基板５０は、所定のリセット処理を行う。
【００４６】
電源基板１１０は、主制御基板５０およびメダル払出装置２２と電気的に接続されており、それぞれに所定の電力を供給する。また、電源基板１１０は、主制御基板５０に設けられた払出要求判定手段５３と電気的に接続されており、払出要求判定手段５３から払出要求信号が入力されると、メダル払出装置２２へ所定の払出駆動信号を出力する。さらに、電源基板１１０は、図５に示すように、メダル回収スイッチ１４２と回収スイッチ用電気配線１４２ａにより電気的に接続されており、メダル回収スイッチ１４２が操作されると、払出要求判定手段５３からの払出要求信号によらず、メダル払出装置２２へ所定の払出駆動信号を出力する。
【００４７】
上述のように、メダル回収スイッチ１４２は不正操作によりメダル払出装置２２から遊技メダルを不正に払い出すことができるスイッチであるため、メダル回収スイッチ１４２に対する不正操作を重点的に防止する必要がある。また、設定スイッチ１４３は不正操作によりスロットマシンＳＭの出玉率を不正に設定切替可能にするスイッチであるため、設定スイッチ１４３に対する不正操作を防止する必要もある。なお、メダル回収スイッチ１４２の操作によりメダル払出装置２２を作動させると、警報装置（図示せず）等によりその旨を報知する作動が行われるが、リセットボタン１４４を操作することにより前述の報知作動が終了して不正操作の痕跡が消されてしまうため、リセットボタン１４４に対する不正操作も防止する必要がある。
【００４８】
そこで、以上のように構成される電源装置１００において、上部開口部１２７を遊技者側（前面側）とは反対側に向けて開口させ、またボブスペーサ１３１を用いてカバー体１２０に開口を形成せずに電源基板１１０をカバー体１２０の内部に収容保持させ、さらにカバー体１２０の上部開口覆い部１２２ａおよび下部開口覆い部１２２ｂにより上下の開閉支持部開口１５６ａ，１５６ａおよびばね取付部開口１５７ａを覆うことで、道具等の異物をカバー体１２０の内部に侵入させ難くしている。
【００４９】
そして、カバーパネル１６０の周囲リブ１６５を操作板１４０の段差部１５４当接させて、この状態でカバーパネル１６０が操作板１４０の表面を覆うようにし、さらにロック部材１７０を用いてカバーパネル１６０を閉鎖位置でロック保持可能にすることで、道具等の異物をカバーパネル１６０に覆われた操作板１４０の表面に入り込み難くしている。また、カバーパネル１６０のスイッチ周りリブ１６６によりメダル回収スイッチ１４２の表面を囲むことで、道具等の異物をメダル回収スイッチ１４２の表面側に入り込み難くしている。
【００５０】
さらに、ねじりコイルばね１４９によりカバーパネル１６０を操作板１４０の表面を覆う閉鎖位置に付勢し、作業者がカバーパネル１６０を閉鎖位置に位置させることを忘れても、ねじりコイルばね１４９の付勢力によりカバーパネル１６０が閉鎖位置に位置するようにしている。また、設定スイッチ１４３に構成される回路をノーマルクローズ回路にすることで、回路をショートさせて通電させることにより設定スイッチ１４３が不正に操作されることを防止している。これにより、電源装置１００の操作板１４０に配設されたメダル回収スイッチ１４２、設定スイッチ１４３およびリセットボタン１４４等に対する不正操作（行為）を防止することができる。なお、リセットボタン１４４に構成される回路を設定スイッチ１４３と同様にノーマルクローズ回路にして、回路をショートさせて通電させることによりリセットボタン１４４が不正に操作されることを防止してもよい。
【００５１】
以上のような構成の電源装置１００によれば、ねじりコイルばね１４９（カバー付勢手段）によりカバーパネル１６０が常には操作板１４０の表面を覆う閉鎖位置に位置するため、作業者がカバーパネル１６０を操作板１４０に再固定するのを忘れることがなく、さらに、操作板１４０に設けられた段差部１５４により道具等の異物がカバーパネル１６０に覆われた操作板１４０の表面に入り込みにくくなるため、電源装置１００の操作板１４０に配設された操作スイッチに対する不正行為をより確実に防止することができる。
【００５２】
次に、電源装置の第二実施形態について図１２〜図１６を参照して説明する。ここで、図１２は第二実施形態における電源装置２００の正面図、図１３は電源装置２００の上部前面側を示す平面拡大図、図１４は電源装置２００の底部付近を示す側面拡大図、図１５は電源装置２００の上部前面側を示す側断面拡大図、そして図１６はカバーパネル上昇規制片２７０を示す側面拡大図である。なお、本実施例の電源装置２００は、上述した第一実施例の電源装置１００と筐体２の一部形状のみ異なり、他の装置構成は同様であるため同一部位に同一番号を付して重複説明を省略する。
【００５３】
第二実施形態における電源装置２００は、主制御基板５０等の構成機器に電力を供給する電源基板（図示せず）と、電源基板を収容保持するカバー体２２０と、種々の操作スイッチを有してカバー体２２０の前面側に取り付けられた操作板２４０と、操作板２２０に操作板２４０の表面を覆う閉鎖位置から上方へスライド開閉可能に取り付けられたカバーパネル２６０とを主体に構成される。電源基板は、第一実施形態における電源基板１１０と同様に、基板（図示せず）と、基板上の所定位置に配設された電力生成部品等の各電子部品（図示せず）とを有して構成され、主制御基板５０等の構成機器に電力を供給する。
【００５４】
カバー体２２０は、第一実施形態におけるカバー体１２０と同様に、金属板材を用いて方形箱状に形成され、内部に電源基板を収容保持するように構成される。カバー体２２０の上部には、図１３に示すように、電源基板が所定の電力を生成する際に発生する熱をカバー体２２０の外部に放熱するための上部開口部２２７が形成されている。
【００５５】
上部開口部２２７は、第一実施形態における上部開口部１２７と同様に、カバー体２２０の上部から上方に延びるとともに、その上端部において後方に向けて開口するように形成され、カバー体２２０の内部で発生した熱が外部に放熱されるようになっている。これにより、上部開口部２２７がスロットマシンＳＭの後方、すなわち遊技者側（前面側）とは反対側に向けて開口しているため、道具等の異物を上部開口部２２７からカバー体２２０の内部に侵入させ難くなることから、電源装置２００に対する不正行為を防止することができる。
【００５６】
カバー体２２０の上部前面側には、カバーパネル２６０が操作板２４０の表面を覆う閉鎖位置に位置するときにカバーパネル２６０の上方への移動を規制するための閉鎖レバー２２１が設けられている。閉鎖レバー２２１は、ＡＢＳ樹脂等の樹脂材料を用いて射出成形等の成形手段により図示する形状に一体的に形成され、カバー体２２０の上部前面側に、図１３の実線で示すようなカバーパネル２６０の上方への移動を規制する規制位置と、図１３の二点鎖線で示すようなカバーパネル２６０の上方への移動を許可する規制解除位置とに回動可能に取り付けられる。
【００５７】
図１５に示すように、閉鎖レバー２２１の一端側にはレバー取付穴２２１ａが形成されており、閉鎖レバー取付ネジ２２４が通り抜けるようになっている。閉鎖レバー２２１の他端側には回転ツマミ２２２が形成されており、作業者がこの回転ツマミ２２２を把持して閉鎖レバー２２１を回動させ易いようになっている。
【００５８】
また、カバー体２２０の上部前面側には、閉鎖レバー２２１を取り付けるための閉鎖レバー取付部２２３がネジ穴２２３ａを有して形成されており、このネジ穴２２３ａに閉鎖レバー取付ネジ２２４がネジ固定されるようになっている。そして、閉鎖レバー２２１のレバー取付穴２２１ａの位置をネジ穴２２３ａに合わせ、閉鎖レバー取付ネジ２２４をレバー取付穴２２１ａに通過させてネジ穴２２３ａにネジ固定することにより、カバー体２２０の上部前面側に閉鎖レバー２２１が規制位置と規制解除位置とに回動可能に取り付けられる。
【００５９】
これにより、カバーパネル２６０が閉鎖位置に位置するときに閉鎖レバー２２１を規制位置に位置させることで、カバーパネル２６０の上方への移動が規制されて、道具等の異物がカバーパネル２６０に覆われた操作板２４０の表面に入り込みにくくなり、さらにカバーパネル２６０が不正に開放されることが防止されるため、操作板２４０に配設された各操作スイッチに対する不正行為を防止することができる。なお、上述の閉鎖レバー２２１に限らず、例えば、第一実施形態におけるロック部材１７０等、カバーパネル２６０が操作板２４０の表面を覆う閉鎖位置に位置するときにカバーパネル２６０の上方への移動を規制する閉鎖保持手段が設けられていればよい。
【００６０】
カバー体２２０の底部には、図１４に示すように、電源基板が所定の電力を生成する際に発生する熱をカバー体２２０の外部に放熱するための下部開口部２２８が形成されている。下部開口部２２８は、カバー体２２０の底部から下方に延びるとともに、その下端部において後方に向けて開口するように形成され、カバー体２２０の内部で発生した熱が外部に放熱されるようになっている。これにより、下部開口部２２８がスロットマシンＳＭの後方、すなわち遊技者側（前面側）とは反対側に向けて開口しているため、道具等の異物を下部開口部２２８からカバー体２２０の内部に侵入させ難くなることから、電源装置２００に対する不正行為を防止することができる。
【００６１】
カバー体２２０の底部前面側には、図１４に示すように、カバー体２２０を支持して筐体２に固定される前部台座部２２５が支持固定穴２２５ａを有して形成されており、座金１２６を介してカバー体固定ネジ１２５を支持固定穴２２５ａに通過させて筐体２に配設された鬼目ナット２５にネジ固定することにより、カバー体２２０を支持して筐体２に固定されるようになっている。
【００６２】
また、カバー体２２０の底部裏面側には後部台座部２２６が形成されており、前部台座部２２５とともにカバー体２２０を支持することで、カバー体２２０の底部中央側と筐体２との間に所定幅の間隙が生じるように構成されている。これにより、上部開口部２２７に加えてカバー体２２０の底部に下部開口部２２８を形成することが可能となるため、カバー体２２０の内部で発生した熱をより効果的に外部に放熱させることができる。
【００６３】
カバー体２２０の裏面側には裏面開口部２２９が形成されており、カバー体２２０の内部で発生した熱が外部に放熱されるようになっている。なお、筐体２の裏面側には、カバー体２２０の裏面側と位置整合して筐体放熱穴２６が形成されており、裏面開口部２２９から放熱された熱が筐体放熱穴２６を通ってスロットマシンＳＭの外部に放熱されるようになっている。
【００６４】
操作板２４０は、板状の形態をなし、ＡＢＳ樹脂等の樹脂材料を用いて射出成形等の成形手段により図示する形状に一体的に形成される。図１２に示すように、操作板２４０には、メダル回収スイッチ１４２や設定スイッチ１４３等の不正操作されやすい操作スイッチが操作板２４０における上方に位置して配設され、一方、リセットボタン１４４等の使用頻度の高い操作スイッチが操作板２４０における下方に位置して配設されている。
【００６５】
これにより、操作板２４０における上方に位置して配設された操作スイッチを操作するには、カバーパネル２６０をより上方へスライド移動させなければならないため、メダル回収スイッチ１４２や設定スイッチ１４３等の不正操作されやすい操作スイッチに対する不正行為を防止することができる。また、操作板２４０における下方に位置して配設された操作スイッチを操作するには、カバーパネル２６０を少しだけ上方へスライド移動させればよいため、リセットボタン１４４等の使用頻度の高い操作スイッチの操作性が向上する。
【００６６】
操作板２４０の上周部から左右の側周部に繋がって段差部２５４が形成されており、操作板２４０の表面中央側が突出するように構成されている。操作板１４０左右の側周部に形成された段差部２５４には、左右のスライドガイド部２５１，２５１がＬ字状に形成されており、カバーパネル２６０が上下にスライド移動可能に取り付けられるようになっている。操作板２４０の下端部には、カバー底辺ストッパ部２５２が形成されており、図１４に示すように、カバーパネル２６０が操作板２４０の表面を覆う閉鎖位置に位置すると、カバーパネル２６０の下端部に当接してカバーパネル２６０の下方への移動を規制するとともに、カバーパネル２６０の下端部に形成される下部開口２６５を塞ぐように構成されている。
【００６７】
カバーパネル２６０は、ポリカーボネートやメタクリル樹脂、そしてＡＢＳ樹脂等の透明な樹脂材料を用いて、図示する形状に一体的に形成される。カバーパネル２６０の中央部には、操作板２４０の表面中央側と位置整合して面部２６１が形成され、カバーパネル２６０が操作板２４０の表面を覆う状態で、作業者が面部２６１を通して操作板２４０に配設された各操作スイッチ等の状態を外観確認することができるようになっている。カバーパネル２６０の下端部には、開閉ツマミ部２６２が形成されており、作業者がこの開閉ツマミ部２６２を把持してカバーパネル２６０をスライド移動させ易いようになっている。
【００６８】
カバーパネル２６０の左右の側周部には、左右のスライドリブ２６３，２６３が形成されており、図１２に示すように、左右のスライドリブ２６３，２６３がそれぞれ左右のスライドガイド部２５１，２５１の内方に位置することにより、カバーパネル２６０の前面側への移動が規制されて、カバーパネル２６０が上下にスライド移動可能に取り付けられるようになっている。カバーパネル２６０の上周部には、左右のスライドリブ２６３，２６３に繋がって上部リブ２６４が形成されており、図１２および図１５に示すように、カバーパネル２６０が閉鎖位置に位置すると、操作板２４０の上周部に形成された段差部２５４に当接するようになっている。
【００６９】
そして、操作板２４０の上方から左右のスライドリブ２６３，２６３をそれぞれ左右のスライドガイド部２５１，２５１の内方へ挿入することにより、スライドリブ２６３の一面が操作板１４０左右の側周部に形成された段差部２５４に摺接した状態で、カバーパネル２６０が上下にスライド移動可能に取り付けられる。このとき、カバーパネル２６０は自重により下方へスライド移動して、カバーパネル２６０の下端部が操作パネル２４０のカバー底辺ストッパ部２５２に当接し、常にはカバーパネル２６０が閉鎖位置に位置する状態に付勢（保持）される。これにより、作業者がカバーパネル２６０を閉鎖位置に位置させることを忘れても、自重によりカバーパネル２６０が閉鎖位置に位置するため、操作板２４０に配設された各操作スイッチに対する不正行為を防止することができる。
【００７０】
また、カバーパネル２６０が閉鎖位置に位置すると、カバー底辺ストッパ部２５２によりカバーパネル２６０の下端部に形成される下部開口２６５が塞がれるとともに、カバーパネル２６０の左右のスライドリブ２６３，２６３および上部リブ２６４が操作板２４０の段差部２５４に接した状態で操作板２４０の表面がカバーパネル２６０に覆われる。そのため、段差部２５４およびカバー底辺ストッパ部２５２により道具等の異物がカバーパネル２６０に覆われた操作板２４０の表面に入り込みにくくなるため、操作板２４０に配設された各操作スイッチに対する不正行為を防止することができる。
【００７１】
さらに、操作板２４０の左右のスライドガイド部２５１，２５１により、カバーパネル２６０の左右のスライドリブ２６３，２６３が覆われた状態となり、道具等の異物がカバーパネル２６０に覆われた操作板２４０の表面に一層入り込みにくくなるとともに、カバーパネル２６０の浮き上がりが防止されるため、操作板２４０に配設された各操作スイッチに対する不正行為を防止することができる。
【００７２】
さて、カバーパネル２６０の上方に位置する筐体２の左内側部には、図１２に示すように、カバーパネル２６０の上方への移動を規制するためのカバーパネル上昇規制片２７０が設けられている。カバーパネル上昇規制片２７０は、図１２および図１６に示すように、金属板材を用いてＬ字状に形成され、カバーパネル上昇規制片２７０の底部にカバーパネル２６０の上端部が当接することで、カバーパネル２６０の上方への移動が規制されるようになっている。カバーパネル上昇規制片２７０の側部には長穴２７０ａが上下に延びて形成されており、規制片取付ネジ２７１を長穴２７０ａに通過させて筐体２へネジ固定することにより、カバーパネル上昇規制片２７０は筐体２に上下に移動可能に取り付けられる。
【００７３】
そして、常にはカバーパネル上昇規制片２７０を下方に位置させて、図１２および図１６の実線で示すように、カバーパネル２６０の所定位置から上方への移動を規制することで、カバーパネル２６０が操作板２４０から不必要に脱落することを防止することができる。また、図１６の二点鎖線で示すように、カバーパネル上昇規制片２７０を上方に位置させて、カバーパネル２６０を操作板２４０から取り外せるようにすることで、カバーパネル２６０の操作板２４０に対する着脱を容易にすることができ、さらにカバーパネル２６０の交換を簡単に行うことができる。
【００７４】
以上のように構成される電源装置２００において、上部開口部２２７および下部開口部２２８を遊技者側（前面側）とは反対側に向けて開口させることで、道具等の異物をカバー体２２０の内部に侵入させ難くしている。
【００７５】
そして、カバー底辺ストッパ部２５２によりカバーパネル２６０の下部開口２６５を塞ぐとともに、カバーパネル２６０の左右のスライドリブ２６３，２６３および上部リブ２６４が操作板２４０の段差部２５４に接した状態で操作板２４０の表面がカバーパネル２６０に覆われるようにすることで、道具等の異物をカバーパネル２６０に覆われた操作板２４０の表面に入り込み難くしている。また、閉鎖レバー２２１により、カバーパネル２６０の閉鎖位置における上方への移動を規制して、道具等の異物をカバーパネル２６０に覆われた操作板２４０の表面に入り込み難くしている。
【００７６】
さらに、操作板２４０の左右のスライドガイド部２５１，２５１により、カバーパネル２６０の左右のスライドリブ２６３，２６３を覆うことで、道具等の異物をカバーパネル２６０に覆われた操作板２４０の表面に一層入り込みにくくするとともに、カバーパネル２６０の浮き上がりを防止している。また、左右のスライドガイド部２５１，２５１によりカバーパネル２６０を上下にスライド移動可能にして、カバーパネル２６０をその自重により常にはカバーパネル２６０が閉鎖位置に位置する状態に付勢することで、作業者がカバーパネル２６０を閉鎖位置に位置させることを忘れても、自重によりカバーパネル２６０が閉鎖位置に位置するようにしている。これにより、電源装置２００の操作板２４０に配設されたメダル回収スイッチ１４２、設定スイッチ１４３およびリセットボタン１４４等に対する不正操作（行為）を防止することができる。
【００７７】
以上のような構成の電源装置２００によれば、スライドガイド部２５１およびカバー底辺ストッパ部２５２（カバー付勢手段）によりカバーパネル２６０がその自重により常には操作板２４０の表面を覆う閉鎖位置に位置するため、作業者がカバーパネル２６０を操作板２４０に再固定するのを忘れることがなく、さらに、操作板２４０に設けられた段差部２５４により道具等の異物がカバーパネル２６０に覆われた操作板２４０の表面に入り込みにくくなるため、電源装置２００の操作板２４０に配設された操作スイッチに対する不正行為をより確実に防止することができる。
【００７８】
なお、上述の第一実施形態において、カバーパネル１６０の開閉動作を規制するカバープッシャー１９０を前面扉３の裏面側に設けてもよい。そこで、カバープッシャー１９０について図１７〜図１９を参照して説明する。ここで、図１７はカバープッシャー１９０を前面扉３の裏面側から見た斜視図、図１８はカバープッシャー１９０の平面図、そして図１９はカバープッシャー１９０の側面図である。
【００７９】
カバープッシャー１９０は、プッシャー本体１９１と、プッシャー本体１９１の一端側に取り付けられた弾性部材１９２とから構成される。プッシャー本体１９１は、ＡＢＳ樹脂等の樹脂材料を用いて射出成形等の成形手段により丸棒状に一体的に形成され、前面扉３が筐体２の開口を覆う状態で、プッシャー本体１９１の一端側（弾性部材１９２）がカバーパネル１６０の面部１６１に当接してカバーパネル１６０の開閉動作を規制するように構成される。
【００８０】
このとき、プッシャー本体１９１の一端側（弾性部材１９２）がカバーパネル１６０の面部１６１中央に当接するように構成されるのが好ましい。このようにすれば、カバーパネル１６０を操作板１４０の表面へ均等に押圧することができる。またこのとき、プッシャー本体１９１の一端側（弾性部材１９２）がロック部材１７０のノブ部材１７１に当接するようにしてもよい。このようにすれば、前面扉３が筐体２の開口を覆う状態で、プッシャー本体１９１の一端側（弾性部材１９２）がノブ部材１７１に当接することで、ノブ部材１７１がプッシャー本体１９１の一端側（弾性部材１９２）に押圧されて、より確実にロック部材１７０によりカバーパネル１６０が閉鎖位置でロック保持される。
【００８１】
弾性部材１９２は、ゴム等の弾性材料を用いて射出成形等の成形手段により丸棒状に一体的に形成され、接着剤等の固定手段によりプッシャー本体１９１の一端側に取り付けられる。そして、前面扉３が筐体２の開口を覆う状態で、弾性部材１９２がカバーパネル１６０の面部１６１に当接して弾性変形し、その弾性力によりカバーパネル１６０の面部１６１を押圧するようになっている。これにより、筐体２に対する前面扉３の取付位置の差異に拘わらず、前面扉３が筐体２の開口を覆う状態で、プッシャー本体１９１の一端側が確実にカバーパネル１６０に当接し、より確実にカバーパネル１６０の開閉動作を規制することができる。また、弾性部材１９２によりカバーパネル１６０を傷つけることなくカバーパネル１６０の開閉動作を規制することができる。
【００８２】
前面扉３の裏面側には、カバープッシャー１９０を取り付けるための取付用ボス１９５が形成されており、この取付用ボス１９５にプッシャー本体１９１の他端側を圧入固定することで、カバープッシャー１９０が前面扉３の裏面側に取り付けられるようになっている。なお、カバープッシャー１９０を前面扉３に対し着脱可能にして、前面扉３の裏面側下部にカバープッシャー１９０を収納するカバープッシャー収納部１９６を設けてもよい。これにより、前面扉３を開放してメンテナンス作業等を行うときに、カバープッシャー１９０を前面扉３から取り外してカバープッシャー収納部１９６に収納するようにすれば、作業者が誤ってカバープッシャー１９０を破損してしまうことを防止することができる。
【００８３】
以上のように構成されるカバープッシャー１９０において、前面扉３を筐体２の開口を覆う閉止位置に位置させると、カバープッシャー１９０の弾性部材１９２がカバーパネル１６０の面部１６１に当接して弾性変形し、その弾性力によりカバーパネル１６０の面部１６１を押圧する。これにより、前面扉３が筐体２の開口を覆う状態でカバーパネル１６０の開閉動作が規制され、道具等の異物がカバーパネル１６０に覆われた操作板１４０の表面に入り込みにくくなるため、操作板１４０に配設された各操作スイッチに対する不正行為をより確実に防止することができる。なお、図１８の二点鎖線で示すように、前面扉３を開放すれば、カバープッシャー１９０がカバーパネル１６０から離れ、再びカバーパネル１６０の開閉動作を行うことができる。
【００８４】
また、上述の第二実施形態において、電源装置２００に構成されるカバー体２２０の底部に前部台座部２２５および後部台座部２２６を形成し、カバー体２２０を支持してカバー体２２０の底部中央側と筐体２との間に所定幅の間隙を生じさせ、カバー体２２０の底部に下部開口部２２８を形成しているが、図１９に示すように、第一実施形態における電源装置１００にも、前部台座部２２５および後部台座部２２６と下部開口部２２８とを形成してもよい。このようにすれば、第一実施形態における電源装置１００においても同様に、上部開口部１２７に加えてカバー体１２０の底部に下部開口部２２８が形成されるため、カバー体１２０の内部で発生した熱をより効果的に外部に放熱させることができる。
【００８５】
さらに、上述の各実施形態において、本発明に係る電源装置がスロットマシンＳＭに設けられているが、これに限られるものではなく、例えば、アーケードゲーム機等、前面側に開口を有する箱形の筐体と、筐体の前面側に開口を覆う閉止位置から開閉自在に取り付けられた前面扉と、筐体の内部に設けられて電力を供給する電源装置とを備え、前面扉が前記開口を覆う状態で電源装置から供給される電力により遊技に供される遊技機に設けられていればよい。
【００８６】
【発明の効果】
以上説明したように、本発明による遊技機の電源装置によれば、カバー付勢手段によりカバーが常には操作板の表面を覆う閉鎖位置に位置するため、作業者がカバーを操作板に再固定するのを忘れることがなく、さらに、操作板に設けられた段差部により道具等の異物がカバーに覆われた操作板の表面に入り込みにくくなるため、電源装置の操作板に配設された操作スイッチに対する不正行為をより確実に防止することができる。
【図面の簡単な説明】
【図１】本発明に係る電源装置を備えた遊技機の一例として示すスロットマシンの斜視図である。
【図２】上記スロットマシンにおける前面扉を取り外した状態を示す正面図である。
【図３】本発明に係る電源装置の正面図（部分断面図）である。
【図４】電源装置に構成される操作板およびカバーパネルの分解斜視図である。
【図５】操作板およびカバーパネルの取付部付近を示す平面拡大図（部分断面図）である。
【図６】操作板およびカバーパネルの左下端部付近を示す正面拡大図（部分断面図）である。
【図７】図６中の矢印ＶＩＩから見た平面拡大図（部分断面図）である。
【図８】（Ａ）はロック部材の平面拡大図（部分断面図）であり、（Ｂ）はロック部材がロック状態であるときの平面拡大図（部分断面図）である。
【図９】ロック部材の別形態を示す正面図である。
【図１０】電源装置と主制御基板およびメダル払出装置との電気的な接続を示す回路ブロック図である。
【図１１】設定スイッチ内部の電気的な接続を示す回路ブロックである。
【図１２】第二実施形態における電源装置の正面図である。
【図１３】電源装置の上部前面側を示す平面拡大図である。
【図１４】電源装置の底部付近を示す側断面拡大図である。
【図１５】電源装置の上部前面側を示す側面拡大図である。
【図１６】カバーパネル上昇規制片の側面拡大図である。
【図１７】カバープッシャーを前面扉の裏面側から見た斜視である。
【図１８】カバープッシャーの平面図である。
【図１９】カバープッシャーの側面図である。
【符号の説明】
ＳＭ　スロットマシン
１　キャビネットケース
２　筐体
３　前面扉
４　施錠装置
２１　リール装置（２１ａ，２１ｂ，２１ｃ　リール）
２２　メダル払出装置
２５　鬼目ナット
２６　筐体放熱穴
３１　メダル投入口
３２　スタートレバー
３３ａ，３３ｂ，３３ｃ　停止ボタン
３４　上部スピーカ
３５　下部スピーカ
３７　透視窓
３８　メダル払出口
３９　受け皿
５０　主制御基板
５１　設定切替モード判定手段
５２　リセット入力判定手段
５３　払出要求判定手段
１００　電源装置（第一実施形態）
１１０　電源基板
１１１　基板
１１２　基板取付穴
１１３　コネクタ端子
１１４　電力供給用電気配線（１１４ａ　電力供給用コネクタ部）
１２０　カバー体
１２１　操作板取付部（１２１ａ　ネジ穴）
１２２ａ　上部開口覆い部
１２２ｂ　下部開口覆い部
１２４　取付台座部
１２５　カバー体固定ネジ
１２６　座金
１２７　上部開口部
１２８　コネクタ開口部
１３０　電源基板取付部
１３１　ボブスペーサ（１３１ａ　ネジ穴、１３１ｂ　圧入部）
１３２　下穴
１３３　電源基板取付ネジ
１３４　座金
１４０　操作板
１４１　電源スイッチ
１４２　メダル回収スイッチ（１４２ａ　回収スイッチ用電気配線）
１４３　設定スイッチ
（１４３ａ　設定スイッチ入力＋、１４３ｂ　設定スイッチ入力−、
１４３ｃ　スイッチ回路）
１４４　リセットボタン
１４５　自動精算スイッチ
１４６　打止スイッチ
１４７　ヒューズ
１４９　ねじりコイルばね
１５１　取付固定部（１５１ａ　固定穴）
１５２　操作板取付ネジ
１５３　座金
１５４　段差部
１５５　ロック部材受け部
１５６　カバー開閉支持部（１５６ａ　開閉支持部開口）
１５７　ねじりコイルばね取付部（１５７ａ　ばね取付部開口）
１５８　第１ねじりコイルばね受け部
１６０　カバーパネル
１６１　面部
１６２　カバー取付部
１６３　第２ねじりコイルばね受け部
１６５　周囲リブ
１６６　スイッチ周りリブ
１６７　ロック部材取付部
１７０　ロック部材
１７１　ノブ部材
１７２　ノブ部
１７３　ロック片当接部
１７５　ロック片部材
１７６　ロック片
１９０　カバープッシャー
１９１　プッシャー本体
１９２　弾性部材
１９５　取付用ボス
１９６　カバープッシャー収納部
２００　電源装置（第二実施形態）
２２０　カバー体（第二実施形態）
２２１　閉鎖レバー（２２１ａ　レバー取付穴）
２２２　回転ツマミ
２２３　閉鎖レバー取付部（２２３ａ　ネジ穴）
２２４　閉鎖レバー取付ネジ
２２５　前部台座部（２２５ａ　支持固定穴）
２２６　後部台座部
２２７　上部開口部
２２８　下部開口部
２２９　裏面開口部
２４０　操作板（第二実施形態）
２５１　スライドガイド部
２５２　カバー底辺ストッパ部
２５４　段差部
２６０　カバーパネル（第二実施形態）
２６１　面部
２６２　開閉ツマミ部
２６３　スライドリブ
２６４　上部リブ
２６５　下部開口
２７０　カバーパネル上昇規制片（２７０ａ　長穴）
２７１　規制片取付ネジ
【図１】
2004065493.tif 000003
【図２】
2004065493.tif 000004
【図３】
2004065493.tif 000005
【図４】
2004065493.tif 000006
【図５】
2004065493.tif 000007
【図６】
2004065493.tif 000008
【図７】
2004065493.tif 000009
【図８】
2004065493.tif 000010
【図９】
2004065493.tif 000011
【図１０】
2004065493.tif 000012
【図１１】
2004065493.tif 000013
【図１２】
2004065493.tif 000014
【図１３】
2004065493.tif 000015
【図１４】
2004065493.tif 000016
【図１５】
2004065493.tif 000017
【図１６】
2004065493.tif 000018
【図１７】
2004065493.tif 000019
【図１８】
2004065493.tif 000020
【図１９】
2004065493.tif 000021